(57)【要約】  本発明は、電流手段とＲＴＤ温度センサおよびＴＣ温度センサの感知信号が入力される第１端子と、前記ＲＴＤ温度センサの補償信号と電圧手段の感知信号が入力される第２端子と、前記電流手段とＲＴＤ温度センサ、ＴＣ温度センサおよび電圧手段の共通信号が入力され、接地されている第３端子と、前記第１端子と第３端子の間に接続される電流手段感知信号検出部と、前記第１端子〜第３端子と前記電流手段感知信号検出部の出力端が入力ポートにそれぞれ接続されるマルチプレクサと、前記マルチプレクサから前記感知信号が入力される入力ポートを選択するキー入力部と前記ＲＴＤ温度センサの抵抗値変化を感知するための電源を供給する電源部と、前記電源部から前記ＲＴＤ温度センサに供給される電源をオン・オフするスイッチと、前記キー入力部の選択によって前記マルチプレクサの入力ポートを選択する制御信号と前記スイッチのオン・オフを制御する制御信号を出力し、前記マルチプレクサの入力ポートに入力される感知信号を受信する制御部とを含めて形成され、温度調節器やパネルメータなどの制御計測機器において、温度センサ信号、アナログ電圧信号、およびアナログ電流信号が同一の入力端子から入力され、ダイオードを通じて信号の種類を判別することにより、製造コストを低減し、製品を小型化することができ、ユーザの便利性を向上させたマルチ入力回路である。
2013535179.tif 000002
【特許請求の範囲】
【請求項１】
電流手段とＲＴＤ温度センサおよびＴＣ温度センサの感知信号が入力される第１端子と、前記ＲＴＤ温度センサの補償信号と電圧手段の感知信号が入力される第２端子と、前記電流手段とＲＴＤ温度センサ、ＴＣ温度センサおよび電圧手段の共通信号が入力され、接地されている第３端子と、前記第１端子と第３端子の間に接続される電流手段感知信号検出部と、前記第１端子〜第３端子と前記電流手段感知信号検出部の出力端が入力ポートにそれぞれ接続されるマルチプレクサと、前記マルチプレクサから前記感知信号が入力される入力ポートを選択するキー入力部と、前記ＲＴＤ温度センサの抵抗値変化を感知するための電源を供給する電源部と、前記電源部から前記ＲＴＤ温度センサに供給される電源をオン・オフするスイッチと、前記キー入力部の選択に応じて前記マルチプレクサの入力ポートを選択する制御信号と前記スイッチのオン・オフを制御する制御信号を出力し、前記マルチプレクサの入力ポートに入力される感知信号を受信する制御部とを含めて構成されるマルチ入力回路。
【請求項２】
前記電流手段感知信号検出部は、前記第１端子と第３端子の間に直列に接続されるスイッチング素子と検出抵抗で構成され、前記検出抵抗の検出信号出力端がマルチプレクサの一入力ポートに接続されることを特徴とする、請求項１に記載のマルチ入力回路。
【請求項３】
前記スイッチング素子はダイオードからなり、ダイオードの閾値電圧よりも高い電圧で入力される電流信号のみが前記検出抵抗で検出されるように形成されることを特徴とする、請求項２に記載のマルチ入力回路。
【請求項４】
前記スイッチング素子はトランジスタからなり、制御部からスイッチング素子に入力される制御信号は、電流手段の感知信号測定時に前記トランジスタのベースに入力されて、前記トランジスタをターンオンさせるように形成されることを特徴とする、請求項２に記載のマルチ入力回路。
【請求項５】
前記制御部は、前記第１端子、第２端子、および第３端子にＲＴＤ温度センサ、ＴＣ温度センサ、電流手段、または電圧手段のうちのいずれか１つの信号が入力される場合、マルチプレクサの選択によって選択的に入力されるように構成されることを特徴とする、請求項１〜４に記載のマルチ入力回路。
【発明の詳細な説明】
【技術分野】
【０００１】
本発明は、温度調節器やパネルメータなどの制御計測機器において、１台の計測機器で多様な種類の信号を受けることができる制御計測機器のマルチ入力回路に関し、より詳しくは、制御計測機器で多く使用される入力であるＴＣ温度センサ信号、ＲＴＤ温度センサ信号、アナログ電圧信号、およびアナログ電流信号のうちのどの信号でも同一の入力端子から入力されるようにし、入力端子数の減少によって入力回路の構成を簡素化できるようにする制御計測機器のマルチ入力回路に関する。
【背景技術】
【０００２】
一般的に、温度調節器、信号変換器、パネルメータなどの制御計測機器では、ユーザの操作便宜性と適用用途の拡張および製造コストの節減のために、簡素な入力回路で可能な限り多様な電気的信号が入力されるようにすることが最近の傾向である。
【０００３】
図１〜図３は、入力回路の簡素化が可能になった従来のマルチ入力回路の構成例を示している。
【０００４】
先ず、図１に示す従来の構成例は、温度センサ信号入力端子と電流信号入力端子をそれぞれ構成するものであって、ＲＴＤ温度センサ信号は第１端子、第２端子、および第３端子を通じて入力され、ＴＣ温度センサ信号または電圧信号は第２端子と第３端子を通じて入力されるが、電流信号はその信号が電圧信号に変換されなければならないため、電流信号検出抵抗が両端子間に接続された第３端子と第４端子を通じて入力される。
【０００５】
しかし、このような入力回路は構成上では単純であるが、相対的に多くの入力端子が必要となり、製造コストの上昇および製品の小型化には限界を来たすという問題点があった。
【０００６】
図２の従来の他の構成例は、入力端子を最小化するために、温度センサ信号入力端子とアナログ電圧信号またはアナログ電流信号の入力端子を共用する代わりに、アナログ電流信号の入力であるときには別途に備えられた入力選択スイッチ１０を用いて電流信号検出抵抗を手動で接続させ、入力された電流信号が検出抵抗で電圧に変換されて入力される方法であって、入力端子および構成回路は簡素ではあるが、別途の入力選択スイッチ１０を使用しなければならない不便さと、入力選択スイッチ１０の接触抵抗によって測定誤差が発生することがあり、さらには製造コストが上昇するという問題点があった。
【０００７】
図３の従来のさらに他の構成例は、入力端子および構成回路を簡素化させる方法であって、図２の方法と類似してはいるが、入力選択スイッチ１０の代わりにアナログ電流信号を入力されるための電流信号検出抵抗２０を端子外部にユーザが別途に結線する方法であって、入力端子および構成回路は簡単ではあるが、ユーザの不便さと、電流信号検出抵抗２０を備えなければならないという取扱上の不都合と、入力選択の自動化が不可能であるという問題点があった。
【発明の概要】
【発明が解決しようとする課題】
【０００８】
本発明は、上述したような問題点を解決するために案出されたものであって、温度調節器やパネルメータなどの制御計測機器において、温度センサ信号、アナログ電圧信号、およびアナログ電流信号が同一の入力端子から入力され、それぞれの入力信号を制御部の設定用キー操作のみで各種信号の入力選択を可能にすることにより、製造コストを抑えて製品を小型化できるようにしたマルチ入力回路を提供することを目的とする。
【課題を解決するための手段】
【０００９】
上述した本発明の一実施形態に係るマルチ入力回路は、電流手段とＲＴＤ温度センサおよびＴＣ温度センサの感知信号が入力される第１端子と、前記ＲＴＤ温度センサの補償信号と、電圧手段の感知信号が入力される第２端子と、前記電流手段とＲＴＤ温度センサ、ＴＣ温度センサおよび電圧手段の共通信号が入力され、接地されている第３端子と、前記第１端子と第３端子の間に接続される電流手段感知信号検出部と、前記第１端子〜第３端子と前記電流手段感知信号検出部の出力端が入力ポートにそれぞれ接続されたマルチプレクサと、前記マルチプレクサで前記感知信号が入力される入力ポートを選択するキー入力部と、前記ＲＴＤ温度センサの抵抗値変化を感知するための電源を供給する電源部と、前記電源部から前記ＲＴＤ温度センサに供給される電源を、制御部の信号を受けることによってオン・オフするスイッチと、前記キー入力部の選択に応じて前記マルチプレクサの入力ポートを選択する制御信号と前記スイッチのオン・オフを制御する制御信号を出力し、前記マルチプレクサの入力ポートに入力される感知信号を受信する制御部とを含めて構成されている。
【００１０】
前記電流手段感知信号検出部は、前記第１端子と第３端子の間に直列に接続されるスイッチング素子と検出抵抗からなり、前記検出抵抗の検出信号出力端がマルチプレクサの一入力ポートに接続されることを特徴とする。
【００１１】
前記スイッチング素子は、一実施形態としてダイオードからなり、ダイオードの閾値電圧よりも高い電圧で入力される電流信号のみが前記検出抵抗から検出されるように構成されることを特徴とする。
【００１２】
前記スイッチング素子は、他の実施形態としてトランジスタからなり、制御部からスイッチング素子に入力される制御信号は、電流手段の感知信号測定時に前記トランジスタのベースに入力されて前記トランジスタをターンオンさせるように構成されることを特徴とする。
【００１３】
前記制御部は、前記第１端子、第２端子、および第３端子にＲＴＤ温度センサ、ＴＣ温度センサ、電流手段、または電圧手段のうちのいずれか１つの信号が入力される場合、マルチプレクサの選択によって選択的に入力されるように構成されることを特徴とする。
【発明の効果】
【００１４】
本発明によれば、温度調節器やパネルメータなどの制御計測機器において、温度センサ信号、アナログ電圧信号、およびアナログ電流信号が同じ入力端子から入力され、ダイオードを通じて信号の種類を判別することにより、製造コストを抑えて製品を小型化できるという効果がある。
【００１５】
また、入力選択スイッチを取り除いて使用を便利にし、入力選択スイッチの接触抵抗による測定誤差を減らし、測定精度を向上させることができるという効果がある。
【図面の簡単な説明】
【００１６】
【図１】従来の制御計測機器に対する構成図である。
【図２】従来の制御計測機器に対する構成図である。
【図３】従来の制御計測機器に対する構成図である。
【図４】本発明の好ましい実施態様に係るマルチ入力回路に電流手段、電圧手段、およびＲＴＤ温度センサ、ＴＣ温度センサが接続された構成図である。
【図５】図４において、電流手段の感知信号をダイオードと検出抵抗を用いて検出する実施例を示す図である。
【図６】図４において、電流手段の感知信号をトランジスタと検出抵抗を用いて検出する実施例を示す図である。
【発明を実施するための形態】
【００１７】
以下、例示の図面を参照しながら、本発明に係るマルチ入力回路の好ましい実施例の構成および作用を詳細に説明する。
【００１８】
図４に示すように、マルチ入力回路１００は、第１端子１１０、第２端子１２０、第３端子１３０、電流手段感知信号検出部１４０、マルチプレクサ１５０、電源部１６０、スイッチ１７０、制御部１８０、およびキー入力部１９０を含む。また、後述するように、制御部１８０の出力端には、マルチ入力回路１００の第１端子１１０〜第３端子１３０に接続されることができるＲＴＤ温度センサ３００、ＴＣ温度センサ４００、電流手段５００、および電圧手段６００の感知信号を受信して表示することができる表示部２００が接続される。
【００１９】
第１端子１１０は、ＲＴＤ温度センサ３００とＴＣ温度センサ４００または電流手段５００から感知される信号が入力される端子であって、ＲＴＤ温度センサ３００とＴＣ温度センサ４００または電流手段５００から感知されて伝送された各温度信号および電流信号は、後述するマルチプレクサ１５０に入力される。
【００２０】
第２端子１２０は、ＲＴＤ温度センサ３００の補償信号および電圧手段６００感知信号が入力される端子であって、ＲＴＤ温度センサ３００および電圧手段６００から伝送された補償信号および電圧信号は、後述するマルチプレクサ１５０に入力される。
【００２１】
第３端子１３０は、ＲＴＤ温度センサ３００、ＴＣ温度センサ４００、電流手段５００、および電圧手段６００、そしてマルチプレクサ１５０の共通端子が接続される端子である。
【００２２】
電流手段感知信号検出部１４０は、電流手段５００で感知した電流信号を制御部１８０が認識することができる電圧信号に変換してマルチプレクサ１５０の一入力ポートに入力する手段であって、スイッチング素子１４１と検出抵抗１４２で構成される。
【００２３】
前記スイッチング素子１４０は、電流手段５００の感知信号がマルチプレクサ１５０を通じて入力されようとするときにのみオン状態に接続され、電流手段５００で感知される電流信号が検出抵抗１４２によって電圧信号に変換されて制御部１８０に入力されるようにするためのものである。
【００２４】
マルチプレクサ１５０は、第１端子１１０、第２端子１２０、第３端子１３０、および電流手段感知信号検出部１４０の出力端が接続されるものあって、このようなマルチプレクサ１５０は、Ａ端子１５１、Ｂ端子１５２、Ｃ端子１５３、およびＤ端子１５４を含む。
【００２５】
ここで、Ａ端子１５１、Ｂ端子１５２、Ｃ端子１５３、およびＤ端子１５４は、外部信号がマルチプレクサ１５０に入力される入力ポートであって、Ａ端子１５１は第１端子１１０と接続され、Ｂ端子１５２は電流手段感知信号検出部１４０の出力端、すなわち検出抵抗１４２の一側端子と接続され、Ｃ端子１５３は第２端子１２０と接続され、Ｄ端子１５４は第３端子１３０と接続される。
【００２６】
このように、マルチプレクサ１５０は、Ａ端子１５１、Ｂ端子１５２、Ｃ端子１５３、およびＤ端子１５４に入力された外部信号を制御部１８０に伝送する。
【００２７】
電源部１６０は、ＲＴＤ温度センサ３００の温度変化による抵抗値変化を電圧に変換するための電源を供給する役割をするものであって、第１端子１１０およびマルチプレクサ１５０のＡ端子１５１に接続し、ＲＴＤ温度センサ３００の感知信号を受信しようとするときにのみ制御部１８０の信号を受けてスイッチ１７０をオン（ＯＮ）し、ＲＴＤ温度センサ３００に電源を印加する。
【００２８】
制御部１８０は、マルチプレクサ１５０がＡ端子１５１、Ｂ端子１５２、Ｃ端子１５３、およびＤ端子１５４から入力された外部信号のうちの１つの信号が出力されるように制御し、マルチプレクサ１５０から伝送された信号をデジタル信号に変換して表示部２００に伝送してデジタル値で表示するようになる。また、制御部１８０に接続されたキー入力部１９０は、ユーザがマルチプレクサ１５０の入力ポート、すなわち各端子１１０〜１３０に接続するセンサ、電流手段、または電圧手段を制御部１８０に設け、制御部１８０が該当入力に適するようにマルチプレクサ１５０およびスイッチ１７０を制御するようになる。
【００２９】
図５は、図４に示す本発明の好ましい実施例において、電流手段感知信号検出部１４０をダイオードと検出抵抗を用いて構成した実施例を示す。図５に示す構成要素のうちで図４に示す構成要素と同じ機能を有する構成要素については、図４で示す構成要素に付した参照符号と同じ参照符号を付して説明の重複を避けるために詳細な説明は省略する。
【００３０】
図５において、電流手段感知信号検出部１４０のスイッチング素子１４１として使用されるダイオード１４３は、第１端子１１０と第３端子１３０の間に１つ以上が直列に接続されるものであり、ここで、ダイオード１４３は、Ｐ−Ｎ接合ダイオード、ショートキー（Ｓｈｏｔｔｋｙ）ダイオード、ツェナー（Ｚｅｎｅｒ）ダイオードなどが使用される。
【００３１】
このような、ダイオードの閾値電圧は、数式（１）で定義される。
【００３２】
【数１】
2013535179.tif 000003
ここで、ＶＦはダイオード閾値電圧、ｎは理想因子、Ｉはダイオード電流、Ｉｓはダイオード飽和電流、
【００３３】
【数２】
2013535179.tif 000004
はｋＴ／ｑである。また、
【００３４】
【数３】
2013535179.tif 000005
はすなわちｋＴ／ｑにおいて、ｑは１．６０２１７６４８７×１０−１９［Ｃ］であり、ｋは１．３８０６５０４×１０−２３［Ｊ／Ｋ］であり、Ｔは３００Ｋである。
【００３５】
このような、ダイオード１４３の導通電圧は、Ｐ−Ｎ接合ダイオードを使用する場合には約０．５Ｖ〜１．０Ｖの範囲であり、−２ｍＶ／℃の温度特性を有する。このようなダイオード１４３の導通電圧と温度特性は、電流が一定の場合である。
【００３６】
検出抵抗１４２は、第１端子１１０および第３端子１３０の間でダイオード１４３と直列に接続されるものであって、このような検出抵抗１４２は、導通したダイオード１４３を通じて流れる電圧を検出するためものである。また、検出抵抗１４２は、後述するマルチプレクサ１５０のＢ端子１５２に接続され、ダイオード１４３を導通した電流が検出抵抗１４２を介することで発生する電圧降下に対する電流信号をＢ端子１５２に伝達する。
【００３７】
すなわち、ダイオード１４３は、ダイオードの閾値電圧よりも高い電圧で入力される電流信号のみが検出抵抗１４２に流れるようにして検出抵抗１４２両端で電流を検出するようにし、ダイオードの残留電圧に影響されることなく電流手段５００の感知電流を測定できるようになされたものである。
【００３８】
図６は、図４に示す本発明の好ましい実施例において、電流手段の感知信号をトランジスタと検出抵抗を用いて検出する実施形態を示す図である。図６でも図５と同じように、図６に示す構成要素のうちで図４に示す構成要素と同じ機能を有する構成要素に対しては、図４で示す構成要素に付した参照符号と同じ参照符号を付して説明の重複を避けるために詳細な説明は省略する。
【００３９】
図６において、電流手段感知信号検出部１４０のスイッチング素子１４１として使用されるトランジスタ１４４が、例えばＰＮＰ型トランジスタの場合、コレクタを第１端子１０とマルチプレクサ１５０のＡ端子１５１に接続し、エミッタは検出抵抗１４２およびマルチプレクサ１５０のＢ端子１５２に接続し、ベースは制御部１８０に接続し、電流手段５００の感知信号が入力されるときにのみ制御部１８０の制御信号によってトランジスタ１４４をターンオンさせることにより、コレクタから入力された電流信号を検出抵抗１４２を介して第３端子１３０に流れるようにし、このとき、検出抵抗１４２両端で発生した電圧をマルチプレクサ１５０のＢ端子１５２に伝達するように構成されている。
【００４０】
以下、電流手段感知信号検出部１４０をダイオードと検出抵抗を用いて構成した実施例において、ＲＴＤ温度センサ３００、ＴＣ温度センサ４００、電流手段５００、および電圧手段６００から入力される温度信号、電流信号、および電圧信号がマルチ入力回路１００に入力される過程と、制御部１８０によってマルチ入力回路１００に入力された信号が出力される過程について詳しく説明する。
【００４１】
先ず、マルチ入力回路１００にＲＴＤ温度センサ３００を接続する場合には、ＲＴＤ温度センサ３００を第１端子１１０、第２端子１２０、および第３端子１３０に接続する。ここで、ＲＴＤ温度センサ３００を第１端子１１０、第２端子１２０、および第３端子１３０に接続する理由は、ＲＴＤ温度センサ３００の接続端子が補償信号端子を含めて３つあるからである。
【００４２】
このように、第１端子１１０、第２端子１２０、および第３端子１３０に接続されたＲＴＤ温度センサ３００は、制御部１８０の制御によってスイッチ１７０がオンにされた電源部１６０から供給される電源を第１端子１１０から供給される。
【００４３】
このように、第１端子１１０に供給された電源は、ＲＴＤ温度センサ３００に供給された後に第３端子１３０に流れる。ここで、第１端子１１０に接続されたＲＴＤ温度センサ３００の線路抵抗と第３端子１３０に接続されたＲＴＤ温度センサ３００の線路抵抗、およびＲＴＤ温度センサ３００の抵抗を合算した全体抵抗に比例する信号電圧が生成されてマルチプレクサ１５０のＡ端子１５１に入力され、ＲＴＤ温度センサ３００から第３端子１３０までの線路抵抗によって生成される導線電圧は、第２端子１３０を通じてマルチプレクサ１５０のＣ端子１５３に入力される。このとき、第３端子１３０およびマルチプレクサ１５０のＤ端子１５４は共通接地（ＧＮＤ）信号となり、マルチプレクサ１５０のＡ端子１５１、Ｂ端子１５２、およびＣ端子１５３には入力インピーダンスが高くて電流が流れないため、信号には影響を与えなくなる。
【００４４】
また、一般的に、ＲＴＤ温度センサ３００は上、下側線路の長さが等しいため、マルチプレクサ１５０のＡ端子１５１に入力される信号電圧からマルチプレクサ１５０のＣ端子１５３に入力される導線電圧の２倍数を減算すれば、ＲＴＤ温度センサ３００による純粋な信号となり、このような過程を線路補償という。したがって、温度測定地点が遠くにあるＲＴＤ温度センサ３００は、線路抵抗が数Ω〜数十Ωであるため、線路補償が必ず必要となる。
【００４５】
また、一般的に、ＲＴＤ温度センサ３００は、摂氏零（０）度であるときに１００オームの抵抗を有するセンサを使用し、信号の出力電圧範囲は２００ｍＶ以下と、マルチプレクサ１５０の第１端子１１０と第３端子１３０の間に配置されたダイオード１４３の閾値電圧に及ばず導通しないことから、信号の損失がない。
【００４６】
マルチ入力回路１００に電流手段５００を接続する場合には、電流手段５００を第１端子１１０および第３端子１３０に接続し、制御部１８０によってスイッチ１７０をオフ状態に制御して電源部１７０から電源が供給されないようにする。ここで、電流手段５００からはアナログ電流信号が出力され、このようなアナログ電流信号は第１端子１１０に流入する。
【００４７】
ここで、アナログ電流信号は、通常、１０Ｖ〜３０Ｖの電圧に乗せられた４ｍＡ〜２０ｍＡまたは０ｍＡ〜２０ｍＡの信号であるため、ダイオード１４３の閾値電圧を超えるようになってダイオード１４３を導通させるようになり、このように導通した電圧は、検出抵抗１４２を介して第３端子１３０を通じて流れる閉ループを形成する。このとき、ダイオード１４３による閾値電圧だけの電圧損失はあるが、電流信号に対する損失はないため、検出抵抗１４２の両端を通じて流れる電流信号によって電圧降下が発生し、マルチプレクサ１５０のＢ端子１５２に入力される。
【００４８】
上述したように、マルチ入力回路１００に適用されるＲＴＤ温度センサ３００の温度信号および電流手段５００の電流信号は、同じ第１端子１１０と第３端子１３０を通じて入力される場合であっても、それぞれの信号損失は発生しないため、入力信号がＲＴＤ温度センサ３００の温度信号の場合には、制御部１８０からマルチプレクサ１５０のＡ端子１５１を通じて入力された温度信号を出力として選択して温度信号を測定し、入力信号が電流手段５００の電流信号の場合には、制御部１８０からマルチプレクサ１５０のＢ端子１５２を通じて入力された電流信号を出力として選択して電流信号を測定する。
【００４９】
マルチ入力回路１００にＴＣ温度センサ４００が接続される場合には、ＴＣ温度センサ４００が第１端子１１０と第３端子１３０に接続されることができ、このようなＴＣ温度センサ４００は自体的に電圧を発生させるため電源供給が必要なく、制御部１８０からスイッチ１７０をオフして電源部１７０から電源が供給されないようにする。
【００５０】
このように、ＴＣ温度センサ４００が第１端子１１０および第３端子１３０に接続される場合には、第３端子１３０およびマルチプレクサ１５０のＤ端子１５４に接続されたグラウンドのため、温度信号が第１端子１１０を通じてマルチプレクサ１５０のＡ端子１５１に入力され、制御部１８０はＡ端子１５１を通じて入力された温度信号を出力として選択して温度信号を測定する。このとき、第１端子１１０を通じて入力されるＴＣ温度センサ信号は１００ｍＶ以下であるため、ダイオード１４３を導通させることができず、マルチプレクサ１５０のＡ端子１５１に伝送される。
【００５１】
マルチ入力回路１００に電圧手段６００が接続される場合には、電圧手段６００がマルチプレクサ１５０の第２端子１２０および第３端子１３０に接続され、電圧手段６００を使用する場合には電源供給が必要でないため、制御部１８０でスイッチ１７０をオフして電源部１７０から電源が供給されないようにする。
【００５２】
このように、電圧手段６００が使用される場合には、第３端子１３０およびマルチプレクサ１５０のＤ端子１５４に接続されたグラウンドのため、マルチプレクサのＣ端子１５３に電圧信号が入力されることから、制御部１８０ではマルチプレクサ１５０のＣ端子１５３を通じて入力された電圧信号を出力として選択して電圧信号を測定する。
【００５３】
次は、電流手段感知信号検出部１４０をトランジスタと検出抵抗を用いて構成した実施例において、ＲＴＤ温度センサ３００、ＴＣ温度センサ４００、電流手段５００、および電圧手段６００から入力される温度信号、電流信号、および電圧信号がマルチ入力回路１００に入力される過程と、制御部１８０によってマルチ入力回路１００に入力された信号が出力される過程について詳しく説明する。
【００５４】
制御部１８０は、電流手段５００の電流信号を測定するときを除いては、トランジスタ１４４をターンオフ状態に制御する。
【００５５】
このような状態において、ＲＴＤ温度センサ３００は、上述と同じように、第１端子１１０と第２端子１２０および第３端子１３０に接続され、スイッチ１７０をオン状態に接続させ、電源部１６０から電源が供給されるように接続されることにより、ＲＴＤ温度センサ３００の感知信号は、第１端子１１０と第２端子１２０、および第３端子１３０からマルチプレクサ１５０のＡ端子１５１とＣ端子１５３およびＤ端子１５４に信号の損失なく入力される。
【００５６】
また、電圧手段６００が２端子１２０と第３端子１３０に接続される場合には、制御部１８０がＣ端子１５３を通じて入力された電圧信号を出力として選択して測定するようになる一方、ＴＣ温度センサ４００が第１端子１１０と第３端子１３０に接続される場合には、トランジスタ１４４がターンオフ状態であるため、ＴＣ温度センサ４００の温度信号はＡ端子１５１に入力され、制御部１８０がＡ端子１５１を通じて入力された温度信号を出力として選択して測定するようになる。
【００５７】
そして、マルチ入力回路１００に電流手段５００を接続する場合には、電流手段５００を第１端子１１０および第３端子１３０に接続し、制御部１８０によってスイッチ１７０をオフ状態に制御して電源部１７０から電源が供給されないようにすると同時に、トランジスタ１４４がターンオンするように制御する。
【００５８】
したがって、電流手段５００から出力されるアナログ電流信号は第１端子１１０に流入する。第１端子１１０に流入した前記アナログ電流信号は、ターンオンされたトランジスタ１４４と検出抵抗１４２介して第３端子１３０を通じて流れる閉ループを形成する。このとき、ターンオンされたトランジスタ１４４による飽和電圧だけの電圧損失はあるが、電流信号に対する損失はないため、検出抵抗１４２の両端を通じて流れる電流信号によって電圧降下が発生してマルチプレクサ１５０のＢ端子１５２に入力され、制御部１８０がＢ端子１５２を通じて入力された電流信号を出力として選択して測定するようになる。
【００５９】
本明細書には、本発明に係るマルチ入力回路の好ましい実施例を説明したが、本発明はこれに限定されるものではない。本発明は、特許請求の範囲および添付の図面の範囲内で多様に変形されて実施されることができ、それらも本発明の権利範囲に属する。
【符号の説明】
【００６０】
１０    入力選択スイッチ
２０    検出抵抗
１００  マルチ入力回路
１１０  第１端子
１２０  第２端子
１３０  第３端子
１４０  電流手段感知信号検出部
１４１  スイッチング素子
１４２  検出抵抗
１４３  ダイオード
１４４  トランジスタ
１５０  マルチプレクサ
１６０  電源部
１７０  スイッチ
１８０  制御部
１９０  キー入力部
２００  表示部
３００  ＲＴＤ温度センサ
４００  ＴＣ温度センサ
５００  電流手段
６００  電圧手段
【図１】
2013535179.tif 000006
【図２】
2013535179.tif 000007
【図３】
2013535179.tif 000008
【図４】
2013535179.tif 000009
【図５】
2013535179.tif 000010
【図６】
2013535179.tif 000011
【国際調査報告】
2013535179.tif 000012
2013535179.tif 000013
2013535179.tif 000014
2013535179.tif 000015